(57)【特許請求の範囲】
【請求項１】
受信機から送られてくる受信信号の強度の時間方向の平均値である平均信号強度を距離および方向毎に算出してクラッタマップを生成するクラッタマップ部と、
前記クラッタマップ部から送られてくるクラッタマップに基づきスレッショルドを決定し、前記受信機から送られてくる受信信号を、スレッショルドと比較することにより目標を検出する目標検出部と、
前記クラッタマップ部で生成されたクラッタマップを複数のエリアに分割し、該分割した複数のエリアの各々に含まれる複数の平均信号強度に基づいて、エリア毎の統計量を算出するクラッタマップ分析部と、
前記クラッタマップ分析部で算出されたエリア毎の統計量を表示する表示部と、
を備えたことを特徴とするレーダ装置。
【請求項２】
前記クラッタマップ分析部は、さらに、目標検出性能に関するクラッタの影響として、算出したエリア毎の統計量に基づいて、クラッタマップのエリア毎の影響度の分類、または、クラッタマップのエリア毎の影響度の順位のうちの少なくとも１つを算出することを特徴とする請求項１記載のレーダ装置。
【請求項３】
前記表示部は、目標検出性能に関するクラッタの影響として、前記クラッタマップ分析部で算出されたクラッタマップのエリア毎の影響度の分類、または、クラッタマップのエリア毎の影響度の順位のうちの少なくとも１つを表示することを特徴とする請求項２記載のレーダ装置。
【請求項４】
前記クラッタマップ分析部は、算出したクラッタマップのエリア毎の統計量、目標検出性能に関するクラッタの影響として、影響度の分類または影響度の順位のうちの少なくとも１つに基づいて、クラッタマップの表示すべきエリアを選択し、
前記クラッタマップ部は、前記クラッタマップ分析部で選択されたエリアの平均信号強度を前記表示部に送って表示させることを特徴とする請求項２または請求項３記載のレーダ装置。
【請求項５】
クラッタマップの表示すべきエリアを選択する操作部を備え、
前記クラッタマップ部は、前記操作部で選択されたエリアの平均信号強度を前記表示部に送って表示させることを特徴とする請求項１乃至請求項３のいずれか１項記載のレーダ装置。
【請求項６】
前記クラッタマップ分析部は、前記クラッタマップ部の側に配設されていることを特徴とする請求項１乃至請求項５のいずれか１項記載のレーダ装置。
【発明の詳細な説明】
【技術分野】
【０００１】
本発明は、クラッタマップを用いてクラッタによる誤警報を抑圧するレーダ装置に関し、特にクラッタマップを表示する技術に関する。
【背景技術】
【０００２】
クラッタマップは、受信信号の強度（振幅）の時間方向の平均値である平均信号強度を距離および方向毎に算出してマップ化したものであり、クラッタに起因する誤警報を防止するために用いられる。このようなクラッタマップを用いたレーダ装置として、特許文献１は、クラッタマップ部を小型化し、クラッタによる誤警報を抑圧するレーダ装置を開示している。
【０００３】
図９は、従来のレーダ装置の構成を示すブロック図である。このレーダ装置は、送信機１、サーキュレータ２、アンテナ３、受信機４、クラッタマップ部５、目標検出部６および表示部７を備えている。
【０００４】
アンテナ３は、送信機１からサーキュレータ２を経由して送られてくる送信信号を電波に変換し、送信波として指定方向の空間に送信するとともに、送信波の反射波を受信して電気信号に変換し、受信信号としてサーキュレータ２を経由して受信機４に送る。
【０００５】
受信機４は、アンテナ３からサーキュレータ２を経由して送られてくる受信信号をディジタル信号に変換し、クラッタマップ部５および目標検出部６に送る。
【０００６】
クラッタマップ部５は、受信機４から送られてくる受信信号からクラッタマップを生成し、目標検出部６および表示部７に送る。クラッタマップ部５の詳細は、後述する。クラッタマップ部５から表示部７へのデータの伝送路は、例えばケーブルで構成されており、クラッタマップ部５は、クラッタマップをビデオ信号として、ケーブルを介して表示部７に送る。
【０００７】
目標検出部６は、クラッタマップ部５から送られてくるクラッタマップに基づきスレッショルドを決定し、受信機４から送られてくる受信信号を、スレッショルドと比較することにより目標を検出する。目標検出部６で検出された目標は、検出情報として表示部７に送られる。
【０００８】
表示部７は、目標検出部６から送られてくる検出情報によって示される目標とクラッタマップ部５から送られてくるクラッタマップを表示する。
【０００９】
次に、クラッタマップ部５の詳細を説明する。図１０は、クラッタマップ部５の詳細な構成を示すブロック図である。クラッタマップ部５は、乗算器１０１Ａ、乗算器１０１Ｂ、加算器１０２およびメモリ１０３から構成される。
【００１０】
乗算器１０１Ａは、受信機４から送られてくる受信信号を入力信号とし、入力信号にウェイトを乗算し、その結果を加算器１０２に送る。また、乗算器１０１Ｂは、前回の観測によりメモリ１０３に記憶された信号にウェイトを乗算し、その結果を加算器１０２に送る。加算器１０２は、乗算器１０１Ａから送られてくる信号と乗算器１０１Ｂから送られてくる信号を加算して、その結果をメモリ１０３に送るとともに、出力信号として目標検出部６および表示部７に送る。メモリ１０３は、加算器１０２から送られてくる信号（距離ｉおよび方向ｊの情報を含む）を記憶する。
【００１１】
クラッタマップ部５は、上述した構成によって、距離および送受信方向の情報を含む入力信号とメモリ１０４に蓄えられた信号との間で、平均化処理を実施し、結果を、再びメモリ１０３に蓄える。平均化処理は、以下の式で表される。
【数１】
0005025415.tif 000002
【００１２】
ここで、
ｘ          ；ｋ回目の観測により得られた入力信号
ｙ（ｋ）    ；ｋ回目の観測により、新たにメモリに蓄えられる信号
ｙ（ｋ−１）；（ｋ−１）回目の観測により、メモリに蓄えられた信号
ｗ１        ；入力信号に対するウェイト
ｗ２        ；メモリに蓄えられた信号に対するウェイト
クラッタマップ部５における平均化処理は、上記（１）式では省略されているが、入力信号の距離および方向毎に実施され、これが観測毎に実施されることにより、距離および方向毎に、受信信号の強度の時間方向の平均値である平均信号強度が得られる。
【００１３】
図１１は、上記のように構成された従来のレーダ装置において、表示部７に表示されるクラッタマップの例を示す。この例では、平均信号強度が大きい部分（クラッタが強い部分）は白で表され、平均信号強度が小さい部分（クラッタが弱い部分）は黒で表され、これらの間は、平均信号強度に応じた濃淡で表されている。
【特許文献１】特開２００７−３３３９８号公報
【発明の開示】
【発明が解決しようとする課題】
【００１４】
上述した従来のレーダ装置において、クラッタマップをリアルタイムで表示部７に表示しようとする場合、クラッタマップ情報は、距離および方向毎の平均信号強度を表すデータであるので、クラッタマップ部５と表示部７との間のデータの伝送路として、受信信号を伝送する場合と同等の大きな伝送容量を有する伝送路が必要であり、伝送機能に係る部分の高価格化および大型化が避けられない。
【００１５】
逆に、クラッタマップ部５と表示部７との間の伝送路として、伝送容量が小さい伝送路を用いる場合は、伝送機能に係る部分の高価格化および大型化を避けることはできるが、データの伝送に多くの時間を要し、リアルタイム性を確保できない。このように、従来のレーダ装置では、クラッタマップの表示に関して、低価格化および小型化とリアルタイム性とを両立させることができないという問題がある。
【００１６】
また、表示部７において大容量のデータを表示するためには、メモリの大容量化や表示能力の向上等が必要であり、表示部７の表示機能に係る部分の高価格化および大型化が避けられない。
【００１７】
さらに、上述した従来のレーダ装置において、クラッタマップを表示部７に表示したとしても、クラッタマップは、単なる距離および方向毎の平均信号強度を表すデータであるので、目標検出性能に関するクラッタの影響を的確に把握することは難しいという問題がある。
【００１８】
本発明の課題は、表示部に表示された内容によって目標検出性能に関するクラッタの影響を的確に把握することができるとともに、低価格化および小型化とリアルタイム性とを両立させることができ、しかも表示部の低価格化および小型化を実現できるレーダ装置を提供することにある。
【課題を解決するための手段】
【００１９】
上記課題を解決するために、第１の発明は、受信機から送られてくる受信信号の強度の時間方向の平均値である平均信号強度を距離および方向毎に算出してクラッタマップを生成するクラッタマップ部と、前記クラッタマップ部から送られてくるクラッタマップに基づきスレッショルドを決定し、前記受信機から送られてくる受信信号を、スレッショルドと比較することにより目標を検出する目標検出部と、クラッタマップ部で生成されたクラッタマップを複数のエリアに分割し、該分割した複数のエリアの各々に含まれる複数の平均信号強度に基づいて、エリア毎の統計量を算出するクラッタマップ分析部と、クラッタマップ分析部で算出されたエリア毎の統計量を表示する表示部を備えたことを特徴とする。
【００２０】
また、第２の発明は、第１の発明において、クラッタマップ分析部は、さらに、目標検出性能に関するクラッタの影響として、算出したエリア毎の統計量に基づいて、クラッタマップのエリア毎の影響度の分類、または、クラッタマップのエリア毎の影響度の順位のうちの少なくとも１つを算出することを特徴とする。
【００２１】
また、第３の発明は、第２の発明において、表示部は、目標検出性能に関するクラッタの影響として、クラッタマップ分析部で算出されたクラッタマップのエリア毎の影響度の分類、または、クラッタマップのエリア毎の影響度の順位のうちの少なくとも１つを表示することを特徴とする。
【００２２】
また、第４の発明は、第２または第３の発明において、クラッタマップ分析部は、算出したクラッタマップのエリア毎の統計量、目標検出性能に関するクラッタの影響として、影響度の分類または影響度の順位のうちの少なくとも１つに基づいて、クラッタマップの表示すべきエリアを選択し、クラッタマップ部は、クラッタマップ分析部で選択されたエリアの平均信号強度を表示部に送って表示させることを特徴とする。
【００２３】
また、第５の発明は、第１乃至第３のいずれか１記載の発明において、クラッタマップの表示すべきエリアを選択する操作部を備え、クラッタマップ部は、操作部で選択されたエリアの平均信号強度を表示部に送って表示させることを特徴とする。
【００２４】
また、第６の発明は、第１乃至第５のいずれか１記載の発明において、クラッタマップ分析部は、クラッタマップ部の側に配設されていることを特徴とする。
【発明の効果】
【００２５】
第１の発明によれば、表示部には、単に、距離および方向毎の平均信号強度を表したクラッタマップが表示されるだけでなく、クラッタマップを複数のエリアに分割し、分割した複数のエリアの各々に含まれる複数の平均信号強度に基づいて、エリア毎に算出された統計量が表示されるので、ユーザは、目標検出性能に関するクラッタの影響を的確に把握することができる。また、表示部にはエリア毎に算出された統計量が表示されるので、表示部に伝送するデータの量を減らすことができる。その結果、伝送容量が小さい伝送路を用いることができ、伝送機能に係る部分の低価格化および小型化と、リアルタイム性とを両立させることができる。さらに、表示部で表示するデータは比較的小容量で済むので、メモリの大容量化や表示能力の向上等を図る必要がなく、表示部の低価格化および小型化を実現できる。
【００２６】
また、第２の発明によれば、算出されたエリア毎の統計量に基づいて、さらに、クラッタマップのエリア毎の影響度の分類、または、クラッタマップのエリア毎の影響度の順位のうちの少なくとも１つを算出するので、クラッタの特性の的確な把握が可能になる。
【００２７】
また、第３の発明によれば、算出されたエリア毎の統計量に基づいて、さらに、クラッタマップのエリア毎の影響度の分類、または、クラッタマップのエリア毎の影響度の順位のうちの少なくとも１つを表示するので、ユーザは、クラッタの特性を的確に把握することができ、その結果、目標検出性能に関するクラッタの影響を的確に把握することができる。
【００２８】
また、第４の発明によれば、算出されたクラッタマップのエリア毎の統計量、影響度の分類または影響度の順位のうちの少なくとも１つに基づいて、クラッタマップの表示すべきエリアが選択され、この選択されたエリアの平均信号強度が表示されるので、ユーザは、注目すべきエリアの平均信号強度を見ることができる。
【００２９】
また、第５の発明によれば、操作によって選択されたエリアの平均信号強度を表示させることができるので、ユーザは、所望のエリアの平均信号強度を見ることができる。
【００３０】
また、第６の発明によれば、クラッタマップ分析部は、クラッタマップ部の側に配設されているので、クラッタマップ部からクラッタマップ分析部へのデータの伝送路の低価格化および小型化を実現できる。
【発明を実施するための最良の形態】
【００３１】
以下、本発明の実施の形態を、図面を参照しながら詳細に説明する。なお、以下においては、背景技術の欄で説明した従来のレーダ装置の構成部分に相当する部分には、背景技術の欄で使用した符号と同じ符号を付して説明を省略または簡単化する。
【実施例１】
【００３２】
図１は、本発明の実施例１に係るレーダ装置の構成を示すブロック図である。このレーダ装置は、図９に示した従来のレーダ装置にクラッタマップ分析部８が追加されるとともに、従来のレーダ装置における表示部７が、新たな表示部７ａに変更されて構成されている。クラッタマップ部５で生成されたクラッタマップは、目標検出部６および表示部７ａに送られる他、クラッタマップ分析部８にも送られる。
【００３３】
ここで、クラッタマップは、受信信号の強度の距離および方向毎の時間方向の平均値を表す平均信号強度の集合により構成されている。図２は、クラッタマップを概念的に示す図である。すなわち、クラッタマップは、距離（Range）と方向（Azimuth）によって指定されるセル（Range，Azimuth）の各々について求められた、受信信号の強度の時間方向（Scan）の平均値、つまり平均信号強度を表す情報の集合から構成されている。なお、図２では、図面の複雑化を避けるために、方向として方位角（Azimuth）のみを用いた場合の例を示しているが、実際には、方向としては仰角（Elevation）も用いられて３次元のクラッタマップが使用される。
【００３４】
クラッタマップ分析部８は、クラッタマップ部５から送られてくるクラッタマップを複数のエリアに分割し、分割した複数のエリアの各々に含まれる複数の平均信号強度に基づいて、エリア毎の統計量を算出する。エリアは、隣接する複数のセルによって構成されている。図２に示す例では、セル（２、２）、（３、２）、（２、３）および（３、３）によって１つのエリアが形成されており、これら４つのセルの平均信号強度に基づき統計量が算出される。統計量としては、平均値、標準偏差（または分散）、最大値、最小値またはこれらの組み合わせなどを用いることができる。このクラッタマップ分析部８で算出された統計量は、表示部７ａに送られる。
【００３５】
表示部７ａは、従来のレーダ装置における表示部７と同様に、目標検出部６から送られてくる検出情報によって示される目標とクラッタマップ部５から送られてくるクラッタマップを表示する他、クラッタマップ分析部８から送られてくるエリア毎の統計量を表示する。図３は、表示部７ａに表示されるエリア毎の統計量の一例として、平均信号強度を濃淡表示した例を示す。なお、エリア毎の統計量の表示は、濃淡表示に限定されず、数値を色に対応させるカラーマップを用いて行うように構成することもできる。
【００３６】
以上説明したように、本発明の実施例１に係るレーダ装置によれば、表示部７ａには、単に、距離および方向毎の平均信号強度を表したクラッタマップが表示されるだけでなく、クラッタマップを複数のエリアに分割し、分割した複数のエリアの各々に含まれる複数の平均信号強度に基づいて、エリア毎に算出された統計量が表示されるので、ユーザは、目標検出性能に関するクラッタの影響を的確に把握することができる。
【００３７】
また、表示部７ａにはエリア毎の統計量が表示されるので、クラッタマップ分析部８から表示部７ａに伝送するデータの量を減らすことができる。その結果、これらの間は伝送容量が小さい伝送路を用いることができるので、伝送機能に係る部分の低価格化および小型化と、リアルタイム性とを両立させることができる。
【００３８】
さらに、表示部７ａで表示するデータは比較的小容量で済むので、メモリの大容量化や表示能力の向上等を図る必要がなく、表示部７ａの表示機能に係る部分の低価格化および小型化を実現できる。
【実施例２】
【００３９】
図４は、本発明の実施例２に係るレーダ装置の構成を示すブロック図である。このレーダ装置は、図１に示した実施例１に係るレーダ装置のクラッタマップ分析部８が新たなクラッタマップ分析部８ａに変更されるとともに、表示部７ａが新たな表示部７ｂに変更されて構成されている。なお、この実施例２においては、統計量として平均値が使用されるものとして説明する。
【００４０】
すなわち、クラッタマップ分析部８ａは、受信機雑音のみの平均値とクラッタマップのエリア毎の平均値（統計量）とに基づいて、以下の式により、クラッタマップのエリア毎の影響度を、「影響大」、「影響小」または「影響無し」といった３段階に分類する。
【数２】
0005025415.tif 000003
【００４１】
ここで、
ratio（l）  ：クラッタマップのｌ番目のエリアの比率
clutter（l）：クラッタマップのｌ番目のエリアの平均値
noise（l）  ：クラッタマップのｌ番目のエリアの受信機雑音の平均値
threshold１およびthreshold２：影響度を判断するための閾値であり、threshold１＜threshold２
なお、上述した例では、影響度を「影響大」、「影響小」および「影響無し」といった３段階に分類しているが、影響度の分類数は、任意である。
【００４２】
表示部７ｂは、従来のレーダ装置における表示部７と同様に、検出情報とクラッタマップ部からのクラッタマップ情報を表示する他、クラッタマップ分析部８ａで算出されたクラッタマップのエリア毎の影響度の分類（「影響大」、「影響小」または「影響無し」）を表示する。この構成により、ユーザは、クラッタの特性を的確に把握することができ、その結果、目標検出性能に関するクラッタの影響を的確に把握することができる。
【００４３】
また、クラッタマップ分析部８ａは、さらに、クラッタマップの各エリアの比率を用いて、影響度の分類がなされた各エリアに影響度の順位を付けるように構成することができる。この場合、表示部７ｂは、クラッタマップの各エリアに影響度の順位を表示する。なお、影響度の順位は、分類された影響度毎に付けるように構成することもできる。また、影響度の分類を行うことなく、各エリアに影響度の順位のみを付けるように構成することもできる。
【００４４】
図５は、表示部７ｂに表示されるエリア毎の影響度を濃淡表示した例を示す。なお、エリア毎の影響度の表示は、濃淡表示に限定されず、分類結果（影響大、影響小および影響無し）を色に対応させるカラーマップを用いて行うように構成することもできる。
【００４５】
以上説明したように、本発明の実施例２に係るレーダ装置によれば、クラッタマップ分析部８ａで算出されたエリア毎の統計量に基づいて、さらに、クラッタマップのエリア毎の影響度の分類、または、クラッタマップのエリア毎の影響度の順位のうちの少なくとも１つを表示するので、ユーザは、クラッタの特性を的確に把握することができ、その結果、目標検出性能に関するクラッタの影響を的確に把握することができる。
【００４６】
次に、上述した実施例２に係るレーダ装置の変形例を説明する。図６は、実施例２の変形例に係るレーダ装置の構成を示すブロック図である。このレーダ装置は、実施例２に係るレーダ装置のクラッタマップ部５が新たなクラッタマップ部５ａに変更され、クラッタマップ分析部８ａが新たなクラッタマップ分析部８ｂに変更されて構成されている。
【００４７】
クラッタマップ分析部８ｂは、算出したクラッタマップのエリア毎の統計量、影響度の分類または影響度の順位のうちの少なくとも１つ（以下、「統計量等」という）に基づいて、表示すべきクラッタマップのエリアを選択するための選択信号をクラッタマップ部５ａに送る。
【００４８】
クラッタマップ部５ａは、クラッタマップ分析部８ｂから送られてくる選択信号によって選択されたエリアの平均信号強度を表示部７ｂに送って表示させる。この構成により、エリア毎の統計量等に基づいて選択されたクラッタマップのエリアの平均信号強度が表示されるので、ユーザは、注目すべきエリア（例えば影響度が大のエリア）の平均信号強度を見ることができ、目標検出性能に関するクラッタの影響を把握することができる。
【００４９】
この場合、クラッタマップのエリア毎の影響度の分類結果が「影響無し」または「影響小」であれば、そのエリアの平均信号強度を表示部７ｂへ伝送しないように構成することができる。この構成により、クラッタマップ部５ａから表示部７ｂに送るデータの伝送量を低減させることができるので、クラッタマップ部５ａと表示部７ｂの伝送機能に関する部分の低価格化および小型化が可能になる。
【００５０】
また、データの伝送量の低減に伴い、伝送容量の小さい伝送路を用いた場合であっても、リアルタイム性を確保することが容易になる。さらに、表示部７ｂにおいても、表示するデータは比較的小容量で済むので、メモリの大容量化や表示能力の向上等を図る必要がなく、表示部７ｂの低価格化および小型化を実現できる。
【実施例３】
【００５１】
図７は、本発明の実施例３に係るレーダ装置の構成を示すブロック図である。このレーダ装置は、図６に示した実施例２の変形例に係るレーダ装置に操作部９が追加されるとともに、クラッタマップ分析部８ｂが新たなクラッタマップ分析部８ｃに変更されて構成されている。以下では、実施例２の変形例に係るレーダ装置と異なる部分を中心に説明する。
【００５２】
操作部９は、エリア毎の統計量等の表示を指示し、また、クラッタマップの表示すべきエリアを選択するために使用される。この操作部９で指示された統計量表示の指示、および、選択されたエリアを表す選択信号は、クラッタマップ部５ａおよびクラッタマップ分析部８ｃに送られる。なお、操作部９は、表示部７ｂと一体となった端末装置として実現することができる。
【００５３】
クラッタマップ分析部８ｃは、操作部９から統計量表示の指示が送られてきた場合は、実施例２に係るレーダ装置と同様に、クラッタマップ部５ａに蓄積されているクラッタマップのエリア毎の平均信号強度に基づいて、エリア毎の統計量、影響度の分類または影響度の順位の少なくとも１つを算出し、表示部７ｂに送る。
【００５４】
クラッタマップ部５ａは、操作部９から選択信号が送られてきていない場合は、内部に蓄積している平均信号強度を表示部７ｂに送らないが、操作部９から選択信号が送られてきた場合は、選択信号によって選択されたエリアの平均信号強度を表示部７ｂに送る。
【００５５】
次に、上記のように構成される実施例３に係るレーダ装置の動作を、操作手順に従って、図８に示すフローチャートを参照しながら説明する。
【００５６】
クラッタマップの平均信号強度を表示部７ｂへ表示させる場合、まず、統計量表示操作が行われる（ステップＳ１１）。すなわち、ユーザは、操作部９を操作して、エリア毎の統計量等を表示するように指示する。操作部９は、ユーザの操作に応答して、統計量表示の指示をクラッタマップ分析部８ｃに送る。
【００５７】
次いで、統計量等が表示される（ステップＳ１２）。すなわち、クラッタマップ分析部８ｃは、操作部９から統計量表示の指示を受け取ると、クラッタマップ部５ａに蓄積されているクラッタマップのエリア毎の平均信号強度に基づいて、エリア毎の統計量等を算出し、表示部７ｂに送る。これにより、表示部７ｂにエリア毎の統計量等が表示される。
【００５８】
次いで、クラッタマップの表示すべきエリアが選択される（ステップＳ１３）。すなわち、ユーザは、操作部９を操作することにより、表示部７ｂに表示されているエリア毎の統計量等の中から所望のエリアを選択する。操作部９は、ユーザの操作に応答して、選択信号をクラッタマップ部５ａに送る。
【００５９】
次いで、クラッタマップの平均信号強度の表示が行われる（ステップＳ１４）。すなわち、クラッタマップ部５ａは、操作部９から送られてきた選択信号によって選択されたクラッタマップのエリアの平均信号強度を表示部７ｂに送る。これにより、表示部７ｂに、ユーザが選択したクラッタマップのエリアの平均信号強度が表示される。
【００６０】
以上説明したように、本発明の実施例３に係るレーダ装置によれば、操作部９からクラッタマップ部５ａに対し、伝送すべきクラッタマップのエリアを指定しない限り、クラッタマップの平均信号強度が、表示部７ｂへ伝送されることはないため、クラッタマップ部５ａおよび表示部７ｂの伝送機能に関する部分に伝送容量が小さい伝送路を用いることができる。また、表示されるクラッタマップのエリアを少なくすることにより表示部７ｂで表示するデータ量を低減できるため、表示部７ｂの表示機能に係る部分の低価格化および小型化が可能になる。
【００６１】
なお、上述した各実施例において、クラッタマップ分析部８、８ａ、８ｂまたは８ｃは、クラッタマップ部５または５ａの側に配設するように構成できる。この構成によれば、クラッタマップ分析部８、８ａ、８ｂまたは８ｃとクラッタマップ部５または５ａとの間のデータの伝送路の低価格化および小型化を実現できる。
【産業上の利用可能性】
【００６２】
本発明は、レーダ装置やソナー装置などに利用可能である。
【図面の簡単な説明】
【００６３】
【図１】本発明の実施例１に係るレーダ装置の構成を示すブロック図である。
【図２】本発明の実施例１に係るレーダ装置において使用されるクラッタマップ情報を概念的に示す図である。
【図３】本発明の実施例１に係るレーダ装置において表示されるクラッタマップ情報の例を示す図である。
【図４】本発明の実施例２に係るレーダ装置の構成を示すブロック図である。
【図５】本発明の実施例２に係るレーダ装置において表示されるクラッタマップ情報の例を示す図である。
【図６】本発明の実施例２の変形例に係るレーダ装置の構成を示すブロック図である。
【図７】本発明の実施例３に係るレーダ装置の構成を示すブロック図である。
【図８】本発明の実施例３に係るレーダ装置の動作を、操作手順に従って示すフローチャートである。
【図９】従来のレーダ装置の構成を示すブロック図である。
【図１０】従来のレーダ装置のクラッタマップ部の詳細な構成を示すブロック図である。
【図１１】従来のレーダ装置において表示部に表示されるクラッタマップ情報の例を示す図である。
【符号の説明】
【００６４】
１  送信機
２  サーキュレータ
３  アンテナ
４  受信機
５、５ａ  クラッタマップ部
６  目標検出部
７ａ、７ｂ  表示部
８、８ａ、８ｂ、８ｃ  クラッタマップ分析部
９  操作部
【図１】
0005025415.tif 000004
【図２】
0005025415.tif 000005
【図４】
0005025415.tif 000006
【図６】
0005025415.tif 000007
【図７】
0005025415.tif 000008
【図８】
0005025415.tif 000009
【図９】
0005025415.tif 000010
【図１０】
0005025415.tif 000011
【図３】
0005025415.tif 000012
【図５】
0005025415.tif 000013
【図１１】
0005025415.tif 000014